(57)【要約】【課題】  待機電源回路と主電源回路を備えた二電源方式のスイッチング電源において、待機時消費電力の更なる低減を図ったスイッチング電源を提供する。【解決手段】  待機電源出力を供給する第１の電源３６と、主電源出力を供給する第２の電源３７と、第１および第２の電源のそれぞれのスイッチング制御回路６，２６の間に備えられ、第１の電源の制御回路６の駆動用電圧を第２の電源の制御回路２６へ供給し得る給電制御装置３８と、給電制御装置３８に接続され、待機時に外部信号により第２の電源の制御回路２６への駆動用電圧の供給を遮断して第２の電源３７を停止させるスイッチ装置２３とを備えたスイッチング電源装置１であって、補助抵抗１４がスイッチ２３を介して第１の電源３６の出力端子間に接続され、補助抵抗１４が、スイッチ２３の閉開に応じて第１の電源３６の出力端子間において接続または開放されるよう構成されたものとする。【選択図】  図１
2006311650.tif 000002
【特許請求の範囲】
【請求項１】
待機電源出力を供給する第１のスイッチング電源回路と、
主電源出力を供給する第２のスイッチング電源回路と、
第１のスイッチング電源回路のスイッチング制御回路と第２のスイッチング電源回路のスイッチング制御回路の間に備えられ、第１のスイッチング電源回路のスイッチング制御回路の駆動用電圧を第２のスイッチング電源回路のスイッチング制御回路へ供給し得る給電制御装置と、
前記給電制御装置に接続され、待機時に外部オン／オフ制御信号により第２のスイッチング電源回路のスイッチング制御回路への駆動用電圧の供給を遮断して第２のスイッチング電源回路を停止させるスイッチ装置とを備えたスイッチング電源装置であって、
補助抵抗が前記スイッチ装置を介して第１のスイッチング電源回路の出力端子間に接続されており、  
前記補助抵抗が、前記スイッチ装置の閉成または開成に応じて第１のスイッチング電源回路の出力端子間において接続または開放されるよう構成されたことを特徴とするスイッチング電源装置。
【請求項２】
第１のスイッチング電源回路が、トランスによって１次側と２次側が電気的に絶縁された絶縁形のスイッチング電源回路からなり、
第１のスイッチング電源回路のスイッチング制御回路の駆動用電圧が、前記トランスに設けられた補助巻線と、整流回路と、平滑回路とからなる補助電源より供給されるものであることを特徴とする請求項１記載のスイッチング電源装置。
【発明の詳細な説明】
【技術分野】
【０００１】
本発明は、スイッチング電源装置に関し、特に、待機電源回路と主電源回路を備えた二電源方式のスイッチング電源装置に関する。このような二電源方式のスイッチング電源は、待機時に外部オン／オフ信号により主電源を停止させて省電力化を図るものである。
【背景技術】
【０００２】
近年、パソコン、プリンタ、コピー機等のＯＡ機器や家庭用電化機器、特にリモコンスイッチで動作させ得る機器（エアコン、照明、電話、テレビ、ビデオその他）では、主負荷の動作電源がオフとなっていても、リモコンスイッチ等からの指令によって直ちに主負荷を動作させ得るよう、機器を待機（スタンバイ）モードにさせる機能を持ったものが大半である。
それらの機器では大抵、何らかの省エネルギー対策が施されているが、その内の１つに、定格負荷に最適化されたスイッチング電源のほかに、待機動作に特化したスイッチング電源回路を別途備える二電源方式というものがある。この待機電源回路では、回路定数、使用部品その他の回路設計が待機負荷に合せて最適化されている。
【０００３】
従来、待機時の省電力化を図った二電源方式のスイッチング電源として、図３に示すように待機電源回路と主電源回路に共通の整流回路と平滑回路を設け、待機時に、外部からの主電源出力オン／オフ制御信号により主電源の発振を停止させて省電力化を図ったスイッチング電源が知られている（例えば特許文献１参照）。
【特許文献１】特許第３４７４０４１号公報
【０００４】
図３は、従来使用されている二電源方式のスイッチング電源回路を示す図である。これは、待機電源回路と主電源回路に共通の整流回路と平滑回路を有するものである。
交流電源から各電源回路への接続は、まず交流電源Ｐ側に、それぞれ待機電源回路および主電源回路となる第１のスイッチング電源回路３６および第２のスイッチング電源回路３７へ電力を供給する共通の整流・平滑回路として整流回路２となる全波整流ダイオードが接続され、その整流出力プラス側端子は、平滑回路３となる平滑コンデンサのプラス極側に接続されている。
さらに、平滑回路３のプラス極側は、第１のスイッチング電源回路３６のプラス端子と、第２のスイッチング電源回路３７のプラス端子とに接続されている。一方、整流回路２の整流出力マイナス側端子は、平滑回路３のマイナス極側に接続されているほか、さらに、第１のスイッチング電源回路３６のマイナス端子と、第２のスイッチング電源回路３７のマイナス端子とに接続されている。
第１のスイッチング電源回路３６および第２のスイッチング電源回路３７は、それぞれ待機負荷１５および定格負荷３３に最適化されたものであって、各回路の出力側には必要に応じて待機負荷１５および定格負荷３３が接続されている。
【０００５】
図３に示すスイッチング電源回路では、第１のスイッチング電源回路３６が待機電源回路であり、第２のスイッチング電源回路３７が主電源回路である。第１のスイッチング電源回路３６および第２のスイッチング電源回路３７とも、一般的なフライバック方式の絶縁形回路であるが、後述するとおり、第１のスイッチング電源回路３６のトランス１１には補助巻線９が設けられており、これを利用してスイッチング制御回路６の駆動用電源を確保する構成となっている。
第１のスイッチング電源回路３６は、交流入力が入ると常時動作するが、第２のスイッチング電源回路３７は、外部からの主電源出力オン／オフ制御信号（＝外部オン／オフ制御信号）により、第２のスイッチング電源回路３７のスイッチング制御回路２６の駆動用電圧をスイッチ装置たる２次側スイッチ２３で遮断し、それによってスイッチング制御回路２６の発振を停止させ、第２のスイッチング電源回路３７自体の動作を停止させることができるよう構成されている。
【０００６】
すなわち、第１のスイッチング電源回路３６は、始動用抵抗２４、コンデンサ７および逆流阻止ダイオード８からなる始動回路を有しており、交流入力が入ると、始動用抵抗２４を通ってコンデンサ７への充電が行われ、それによって第１のスイッチング電源回路３６のスイッチング制御回路６の駆動用電圧が確保されてスイッチング制御回路６を起動するよう構成されている。第１のスイッチング電源回路３６は、そのような順序を経て動作を開始するが、定常状態では、トランス１１の補助巻線９に誘起される電圧を平滑・整流してスイッチング制御回路６の駆動用電圧を確保している。
補助巻線９、整流回路たる整流ダイオード８および平滑回路たるコンデンサ７は、第１のスイッチング電源回路３６のスイッチング制御回路６駆動用の補助電源３９を構成する。スイッチング制御回路６の駆動電圧は、コンデンサ７または補助電源３９の電圧Ｖ１で表わされる。
一般的に、回路定数を適切に設定することにより、第１のスイッチング電源回路３６の出力側端子間に待機負荷１５が接続されていれば、このとき２次側回路に電流が流れると同時にトランス１１およびその補助巻線９に電圧が発生し、補助電源３９に第１のスイッチング電源３６のスイッチング制御回路６が動作できる最低電圧が確保されるよう構成されている。
【０００７】
上記スイッチング制御回路６に駆動用電圧を供給する電圧が得られる抵抗２４と、スイッチング制御回路６と、コンデンサ７との接続点は、外部からの主電源出力オン／オフ制御信号によりオン／オフされる２次側スイッチ２３を有するスイッチ回路３８を介して、第２のスイッチング電源３７のスイッチング制御回路２６にも接続されており、上記スイッチング制御回路６に供給される駆動用電圧が、必要に応じて第２のスイッチング電源回路３７のスイッチング制御回路２６にも供給され得るよう構成されている。
スイッチ回路３８は、第２のスイッチング電源回路３７のスイッチング制御回路２６への給電制御装置を構成しており、２次側スイッチ２３がオンとなり、スイッチ回路３８のトランジスタ１８がオンとなれば、第２のスイッチング電源３７のスイッチング制御回路２６にも電圧Ｖ１と同じ電圧が供給され得る一方、トランジスタ１８がオフとなれば、スイッチング制御回路２６に駆動用電圧は供給されず、第２のスイッチング電源回路３７は動作しない。このスイッチング制御回路２６の駆動電圧は、このスイッチング制御回路２６の動作用補助電源となるコンデンサ２７の電圧Ｖ２で表わされる。
【０００８】
ここで、一般的には、第２のスイッチング電源回路３７のスイッチング制御回路２６が起動し動作するのに十分な電圧として、第１のスイッチング電源３６のスイッチング制御回路６が動作できる最低電圧よりも高い電圧が求められる。
しかるに、上記の構成からなるスイッチング電源回路においては、第１のスイッチング電源回路３６の２次側出力には、第２のスイッチング電源３７のスイッチング制御回路２６が起動、動作するのに十分な電圧を得るため、常時第１の抵抗１４が接続されていた。
この第１の抵抗１４は、第１のスイッチング電源回路３６の出力側端子間に待機負荷１５とは別個に接続された補助抵抗であり、２次側回路に十分な電流を流してトランス１１およびその補助巻線９に十分な電圧が発生するようにして補助電源３９の電圧Ｖ１を余裕をもって確保し、それによって第２のスイッチング電源回路３７のスイッチング制御回路２６の起動電圧を賄おうとするものである。
しかしながら、この第１の抵抗１４には、交流入力が入ると待機時および主電源動作時を問わず常に電流が流れることとなるため、上記の回路では、常時第１の抵抗１４で無駄な電力を消費し続ける結果となる。このような無駄な電力消費は、微小な待機電力とはいえ、長期的な見地からは決して無視することができるものではなく、その是正が強く求められていた。
【発明の開示】
【発明が解決しようとする課題】
【０００９】
従って本発明は、上記課題を解決し、待機時の消費電力をより少なくすることができるスイッチング電源装置を提供することを課題とする。
【課題を解決するための手段】
【００１０】
上記課題を解決すべく種々検討を行った結果、本発明者は、第１のスイッチング電源３６の出力側端子間に待機負荷１５とは別個に、常時接続していた第１の抵抗１４を２次側スイッチ２３と連動して第１のスイッチング電源回路３６の出力側に接続するか、または接続されない構成とすることにより、
第２のスイッチング電源回路３７のスイッチング制御回路２６を起動する必要のない待機時には、この第１の抵抗１４の接続を解放して第１の抵抗１４に常時電流が流れることを防止し、それによって待機時の消費電力を低減できることを見出し、本発明を完成した。
【００１１】
上記課題を解決可能な本発明のスイッチング電源装置は、待機電源出力を供給する第１のスイッチング電源回路と、主電源出力を供給する第２のスイッチング電源回路と、第１のスイッチング電源回路のスイッチング制御回路と第２のスイッチング電源回路のスイッチング制御回路の間に備えられ、第１のスイッチング電源回路のスイッチング制御回路の駆動用電圧を第２のスイッチング電源回路のスイッチング制御回路へ供給し得る給電制御装置と、前記給電制御装置に接続され、待機時に外部オン／オフ制御信号により第２のスイッチング電源回路のスイッチング制御回路への駆動用電圧の供給を遮断して第２のスイッチング電源回路を停止させるスイッチ装置とを備えたスイッチング電源装置であって、
補助抵抗が前記スイッチ装置を介して第１のスイッチング電源回路の出力端子間に接続されており、前記補助抵抗が、前記スイッチ装置の閉成または開成に応じて第１のスイッチング電源回路の出力端子間において接続または開放されるよう構成されたことを特徴とするものである。
【００１２】
また、第１のスイッチング電源回路が、トランスによって１次側と２次側が電気的に絶縁された絶縁形のスイッチング電源回路からなり、第１のスイッチング電源回路のスイッチング制御回路の駆動用電圧が、前記トランスに設けられた補助巻線と、整流回路と、平滑回路とからなる補助電源より供給されるものであることを特徴とするものである。
【発明の効果】
【００１３】
本発明によれば、従来第１のスイッチング電源３６の出力側端子間に待機負荷１５とは別個に常時接続していた第１の抵抗１４を２次側スイッチ２３と連動して第１のスイッチング電源回路３６の出力側に接続するか、または接続されない構成としたので、
第２のスイッチング電源回路３７のスイッチング制御回路２６を起動する必要のない待機時には、この第１の抵抗１４の接続を解放して第１の抵抗１４に常時電流が流れるのを防止することができ、待機時の無駄な電力消費を従来より低減することが可能になる。
後述するとおり、本発明の一実施例によれば、交流入力が入り、常時動作している第１のスイッチング電源のみが動作し、２次側出力電力が１Ｗの場合において、その消費電力を従来例に比べ約０．２Ｗ低減でき、省エネルギー効果が確認できた。
【発明を実施するための最良の形態】
【００１４】
以下、本発明のスイッチング電源装置について、一実施例に基づき詳細に説明する。
なお、以下の説明では、上述した図３に示すものと同一構成要素には同一の符号を付して説明するものとする。
図１は、本発明の一実施例によるスイッチング電源装置の回路図である。
【００１５】
［構成］
本実施例のスイッチング電源装置１は、図３に示す従来例同様、待機電源回路と主電源回路に共通の整流回路と平滑回路を有するものである。
交流電源から各電源回路への接続について説明すると、まず交流電源Ｐ側に、それぞれ待機電源回路および主電源回路となる第１のスイッチング電源回路３６および第２のスイッチング電源回路３７へ電力を供給する共通の整流・平滑回路として整流回路２となる全波整流ダイオードが接続され、その整流出力プラス側端子は、平滑回路３となる平滑コンデンサのプラス極側に接続されている。
さらに、平滑回路３のプラス極側は、第１のスイッチング電源回路３６のプラス端子と、第２のスイッチング電源回路３７のプラス端子とに接続されている。一方、整流回路２の整流出力マイナス側端子は、平滑回路３のマイナス極側に接続されているほか、さらに、第１のスイッチング電源回路３６のマイナス端子と、第２のスイッチング電源回路３７のマイナス端子とに接続されている。第１のスイッチング電源回路３６および第２のスイッチング電源回路３７は、それぞれ待機負荷１５および定格負荷３３に最適化されたものであって、各回路の出力側には必要に応じて待機負荷１５および定格負荷３３が接続されている。
【００１６】
本実施例のスイッチング電源回路１では、第１のスイッチング電源回路３６が待機電源回路であり、第２のスイッチング電源回路３７が主電源回路である。第１のスイッチング電源回路３６および第２のスイッチング電源回路３７とも、一般的なフライバック方式の絶縁形回路であるが、後述するとおり、第１のスイッチング電源回路３６のトランス１１には補助巻線９が設けられており、これを利用してスイッチング制御回路６の駆動用電源を確保する構成となっている。
なお、第１のスイッチング電源回路３６および第２のスイッチング電源回路３７は、定電圧制御回路１７，３５を備えており、負荷側の状況に応じて、それぞれ１次側のスイッチング素子５，２５を制御して、定電圧源として機能し得るよう構成されている。符号１６，３４は、１次側と２次側を電気的に絶縁するためのフォトカプラである。
【００１７】
第１のスイッチング電源回路３６は、交流入力が入ると常時動作するが、第２のスイッチング電源回路３７は、外部からの主電源出力オン／オフ制御信号（＝外部オン／オフ制御信号）により、第２のスイッチング電源回路３７のスイッチング制御回路２６の駆動用電圧をスイッチ装置たる２次側スイッチ２３で遮断し、それによってスイッチング制御回路２６の発振を停止させ、第２のスイッチング電源回路３７自体の動作を停止させることができるよう構成されている。
すなわち、第１のスイッチング電源回路３６は、始動用抵抗２４、コンデンサ７および逆流阻止ダイオード８からなる始動回路を有しており、交流入力が入ると、始動用抵抗２４を通ってコンデンサ７への充電が行われ、それによって第１のスイッチング電源回路３６のスイッチング制御回路６の駆動用電圧が確保されてスイッチング制御回路６を起動するよう構成されている。第１のスイッチング電源回路３６は、そのような順序を経て動作を開始するが、定常状態では、トランス１１の補助巻線９に誘起される電圧を平滑および整流してスイッチング制御回路６の駆動用電圧を確保している。
補助巻線９、整流回路たる整流ダイオード８および平滑回路たるコンデンサ７は、第１のスイッチング電源回路３６のスイッチング制御回路６駆動用の補助電源３９を構成する。スイッチング制御回路６の駆動電圧は、平滑コンデンサ７または補助電源３９の電圧Ｖ１で表わされる。
本実施例においても、回路定数を適切に設定することにより、第１のスイッチング電源回路３６の出力側端子間に待機負荷１５が接続されていれば、２次側回路に電流が流れると同時に、トランス１１およびその補助巻線９に電圧が発生し、補助電源３９に第１のスイッチング電源３６のスイッチング制御回路６が動作できる最低電圧が確保されるよう構成されている。
【００１８】
上記スイッチング制御回路６に駆動用電圧を供給する電圧が得られる抵抗２４と、スイッチング制御回路６と、コンデンサ７との接続点は、外部からの主電源出力オン／オフ制御信号によりオン／オフされる２次側スイッチ２３を有するスイッチ回路３８を介して、第２のスイッチング電源３７のスイッチング制御回路２６にも接続されており、上記スイッチング制御回路６に供給される駆動用電圧が、必要に応じて第２のスイッチング電源回路３７のスイッチング制御回路２６にも供給され得るよう構成されている。
スイッチ回路３８は、第２のスイッチング電源回路３７のスイッチング制御回路２６への給電制御装置を構成しており、２次側スイッチ２３がオンとなり、スイッチ回路３８のトランジスタ１８がオンとなれば、第２のスイッチング電源３７のスイッチング制御回路２６にも電圧Ｖ１と同じ電圧が供給され得る一方、トランジスタ１８がオフとなれば、スイッチング制御回路２６に駆動用電圧は供給されず、第２のスイッチング電源回路３７は動作しない。このスイッチング制御回路２６の駆動電圧は、このスイッチング制御回路２６の動作用補助電源となるコンデンサ２７の電圧Ｖ２で表わされる。
【００１９】
上記第１のスイッチング電源回路３６と第２のスイッチング電源回路３７の間のスイッチ回路３８は、外部からの主電源出力オン／オフ制御信号によりオン／オフされる２次側スイッチ２３のほか、第１のスイッチング電源回路３６のスイッチング制御回路６に供給される駆動用電圧を、必要に応じて第２のスイッチング電源回路３７のスイッチング制御回路２６に供給するためのトランジスタ１８と、１次側と２次側を電気的に絶縁するためのフォトカプラ２１と、上記各素子の間に適宜接続された抵抗１９，２０，２２とから構成されている。本実施例では、トランジスタ１８はＰＮＰ形のトランジスタである。また、２次側スイッチ２３は、ＭＯＳＦＥＴ等の半導体スイッチから構成されている。この場合、ＭＯＳＦＥＴのゲート端子には、２次側スイッチオン／オフ制御信号入力となる電圧信号が入力される。
【００２０】
スイッチ回路３８の１次側の両端は、一端が第１のスイッチング電源回路３６のスイッチング制御回路６に、他端が整流回路３および補助電源３９の平滑コンデンサ７のマイナス極側に接続されている。
スイッチ回路３８の１次側の一端側は、第１のスイッチング電源回路３６のスイッチング制御回路６からスイッチ回路３８のＰＮＰ形トランジスタ１８のエミッタに接続される。このトランジスタ１８のコレクタ側は、第２のスイッチング電源回路３７のスイッチング制御回路２６に接続される。一方、トランジスタ１８のベースは、抵抗２０およびフォトカプラ２１を介してスイッチ回路３８の１次側の他端側と繋がっており、整流回路２および補助電源３９の平滑コンデンサ７のマイナス極側に接続される。
【００２１】
スイッチ回路３８の２次側の両端は、一端が第１のスイッチング電源回路３６の２次側出力端のプラス側に、他端が２次側スイッチ２３を介して第１のスイッチング電源回路３６の２次側出力端のマイナス側に接続されている。スイッチ回路３８の２次側の一端側は、第１のスイッチング電源回路３６の２次側出力端のプラス側から、スイッチ回路３８の抵抗２２およびフォトカプラ２１を介してスイッチ回路３８の２次側の他端にある２次側スイッチ２３の一端に接続されている。２次側スイッチ２３の他端は、第１のスイッチング電源回路３６の２次側出力端のマイナス側に接続されている。
【００２２】
さらに、第１のスイッチング電源回路３６の２次側においては、補助抵抗となる第１の抵抗１４が２次側スイッチ２３を介して第１のスイッチング電源回路３６の２次側出力端子間に接続されている。従って本実施例では、第１の抵抗１４が、２次側スイッチ２３と連動して第１のスイッチング電源回路３６の出力側に接続されるか、またはその接続が解放される構成となっている。
本実施例では、第１の抵抗１４は、第１のスイッチング電源回路３６の２次側出力端のプラス側と２次側スイッチ２３の一端の間に接続されている。図３に示す従来例同様、この第１の抵抗１４は、第１のスイッチング電源回路３６の出力側端子間に待機負荷１５とは別個に接続されるものであり、２次側回路に十分な電流を流してトランス１１およびその補助巻線９に十分な電圧が発生するようにして補助電源３９の電圧Ｖ１を余裕をもって確保し、それによって第２のスイッチング電源回路３７のスイッチング制御回路２６の起動電圧を賄おうとするものである。
【００２３】
［動作］
次に、上記構成からなる本実施形態のスイッチング電源回路１の概略動作について、図１の回路図および図２のタイミングチャートを基に説明する。図２は、２次側スイッチ２３、第１のスイッチング電源３６のスイッチング制御回路６動作用補助電源電圧Ｖ１、および第２のスイッチング電源３７のスイッチング制御回路２６動作用補助電源電圧Ｖ２の動作状態を、本発明の一実施例のものと従来例のものとで比較したタイミングチャートである（Ａ：本発明、Ｂ：従来例）。
【００２４】
図１の回路図および図２Ａのタイミングチャートからも明らかなとおり、２次側スイッチ２３がオフし、第２のスイッチング電源回路３７がオフし、第１のスイッチング電源回路３６のみ動作している状態では、第１のスイッチング電源回路３６の出力端子間に第１の抵抗１４は接続されず、それ故、第１のスイッチング電源回路３６の補助電源３９の電圧Ｖ１は、第１のスイッチング電源回路３６のスイッチング制御回路６が動作できる最小の電圧となる。
従って、本実施例によれば、第１のスイッチング電源回路３６のみが動作する待機状態においては、第１のスイッチング電源回路３６の補助電源３９の電圧Ｖ１を、第１のスイッチング電源回路３６のスイッチング制御回路６が動作できる最小の電圧とすることができ、それによって待機時における動作消費電力を最小として省エネルギー効果を得ることが可能になる（図２Ａおよび図２Ｂの電圧Ｖ１の図参照）。
【００２５】
一方、外部からの主電源出力オン／オフ制御信号を通じて２次側スイッチ２３がオンされると、フォトカプラ２１を通じて、スイッチ回路３８のトランジスタ１８がオンし、第２のスイッチング電源３７のスイッチング制御回路２６およびその動作用補助電源となるコンデンサ２７に第１のスイッチング電源３６の補助電源３９の電圧が供給される。なお、コンデンサ２７の電圧はＶ２で表わされる。
さらにこのとき、２次側スイッチ２３をオンすると同時に、第１の抵抗１４が、２次側スイッチ２３により第１のスイッチング電源３６の２次側出力端子間に負荷として接続される。
これにより、第１のスイッチング電源回路３６の２次側回路に十分な電流が流れてトランス１１およびその補助巻線９に十分な電圧が発生して第１のスイッチング電源３６の補助電源３９の電圧Ｖ１は上昇し、スイッチ回路３８を通して第２のスイッチング電源回路３７のスイッチング制御回路２６およびその動作用電源となるコンデンサ２７に、スイッチング制御回路２６が起動し動作するのに十分な電圧を供給する（図２Ａの電圧Ｖ２の図参照）。
【００２６】
一般的に、第２のスイッチング電源回路３７のスイッチング制御回路２６は、上記第１のスイッチング電源３６の１次側制御回路６が動作できる最小の補助電源電圧では起動、動作できない。そのため、第２のスイッチング電源回路３７のスイッチング制御回路２６が起動し動作するのに十分な電圧として、第１のスイッチング電源３６のスイッチング制御回路６が動作できる最低電圧よりも高い電圧が求められる。
しかるに、上記構成からなる本実施例のスイッチング電源回路によれば、上記のとおり第２のスイッチング電源３７を動作させるときには、スイッチング制御回路２６が起動し、動作するのに十分な電圧Ｖ２を供給して、第２のスイッチング電源３７を安定してオンすることができる。
【００２７】
このように、本実施例に係るスイッチング電源装置によれば、第２のスイッチング電源回路３７のスイッチング制御回路２６を起動する必要のない待機時には、第１の抵抗１４の接続を解放して第１の抵抗１４に常時電流が流れるのを防止することができ、待機時の無駄な電力消費をこれまで以上に削減することが可能である。
一方、外部からの主電源出力オン／オフ制御信号を通じて２次側スイッチ２３がオンされ、第２のスイッチング電源３７を動作させるときには、２次側スイッチ２３をオンすると同時に、第１の抵抗１４が、２次側スイッチ２３により第１のスイッチング電源３６の２次側出力端子間に負荷として接続されるので、第１のスイッチング電源３６の補助電源電圧Ｖ１が上昇し、スイッチング制御回路２６およびその動作用電源となるコンデンサ２７に、スイッチング制御回路２６が起動し動作するのに十分な電圧Ｖ２を供給して、第２のスイッチング電源３７を安定してオンすることができる。
【００２８】
上記構成からなる本実施例のスイッチング電源回路と、従来例のスイッチング電源回路を用いて、待機時における両者の消費電力を比較した結果、本実施例のスイッチング電源回路では、従来例に比べ良好な結果が得られた。一例によれば、本実施例のスイッチング電源回路では、従来例に比べその消費電力が、２次側出力電力が１Ｗの場合において約０．２Ｗ低減でき、省エネルギー効果が確認できた。
上記比較は、交流入力が入り、常時動作している待機電源回路となる第１のスイッチング電源回路３６のみが動作している状態で行ったものであり、両者とも同一仕様の回路を用い、同一条件の下で行った。
【００２９】
［変形例］
以上、本発明を一実施例に基づき詳細に説明したが、本発明は上記実施例に記載の構成に限定されず、種々の設計変更が可能である。
例えば、待機電源回路および主電源回路として用いられる第１のスイッチング電源回路３６および第２のスイッチング電源回路３７については、上記実施例記載の構成に限られず種々の形式のものを用い得る。スイッチング電源回路の回路形式の一例としては、フォワード形やフライバック形、または種々のブリッジ構成の絶縁形コンバータのほか、昇圧形、降圧形、昇降圧形等の非絶縁形チョッパ回路等が挙げられるが特に限定はない。これらのスイッチング電源回路にソフトスイッチング技術が適用されているか否かについても特に限定されない。非絶縁形コンバータの場合、制御回路の１次側と２次側を本実施例のようにフォトカプラで絶縁することは不要となる。第１のスイッチング電源回路および第２のスイッチング電源回路を制御するための定電圧制御回路についても、本発明の構成に必須というものではなく、必要に応じて適宜改変を加えたり、省略して構わない。
また、第１のスイッチング電源回路または第２のスイッチング電源回路の前段に、力率改善回路を接続する構成であっても構わない。さらに、第１のスイッチング電源回路または第２のスイッチング電源回路の制御方式についても特に限定はなく、周波数制御、デューティー制御、位相制御等種々のものを用い得る。
また、本実施例では第１のスイッチング電源回路３６と第２のスイッチング電源回路３７に共通の整流回路と平滑回路を設ける構成としたが、これに限定されず、第１のスイッチング電源回路と第２のスイッチング電源回路に互いに独立した整流回路と平滑回路を備える構成としても構わない。
【００３０】
また、本発明のスイッチング電源回路の具体的な適用対象も、１つの機器において主電源動作モードと待機モードという２つの動作モードを必要とする対象であれば特に限定はない。従って、本発明のスイッチング電源回路は、パソコン、プリンタ、コピー機、ＦＡＸ機等のＯＡ機器や家庭用電化機器、特にリモコンスイッチで動作させ得る機器（エアコン、照明、電話、テレビ、ビデオその他のＡＶ機器）等に適用することが可能である。
【００３１】
２次側スイッチ２３については、本実施例ではＭＯＳＦＥＴ等のスイッチング素子からなるものとしたが、スイッチング素子の種類はＭＯＳＦＥＴに特に限定されず、ＩＧＢＴ等適宜の半導体スイッチング素子として構わない。上記半導体素子のゲート端子に入力する２次側スイッチオン／オフ制御信号入力となるトリガエネルギーについても、上記実施形態では通常の電気エネルギー（電圧）によるものとしたが、これに限定されず、光や熱等、種々のものを用いて構わない。
整流回路の形式についても、上記実施形態では全波整流ダイオードとしてダイオードブリッジを使用する構成としたが、最も単純な整流ダイオード１基を用いた単相半波整流回路等、整流回路の形式はこれに限られない。さらに、整流回路を構成するダイオードの全部または一部をサイリスタ等のスイッチング素子に置き換え、制御整流を行い得る構成としても構わない。
【００３２】
そのほか、本発明のスイッチング電源回路では、２台のスイッチング電源を用い、それぞれ第１のスイッチング電源回路３６を待機電源回路、第２のスイッチング電源回路３７を主電源回路として、一方を待機負荷に最適化されたスイッチング電源とし、他方を定格負荷に最適化されたスイッチング電源としたが、第１のスイッチング電源回路３６や第２のスイッチング電源回路３７の電力容量についても特に限定されず、本発明は、主電源回路の電力容量の大小に関係なく適用可能である。
【００３３】
以上説明したとおり、本発明は、これまで以上に待機時の消費電力が少なく、かつ高効率のスイッチング電源回路を提供できるものであることが明らかである。
【図面の簡単な説明】
【００３４】
【図１】本発明の一実施例によるスイッチング電源装置の回路図である。
【図２】２次側スイッチ、第１のスイッチング電源のスイッチング制御回路動作用補助電源電圧Ｖ１、および第２のスイッチング電源のスイッチング制御回路動作用補助電源電圧Ｖ２の動作状態を、本発明の一実施例のものと従来例のものとで比較したタイミングチャートである（Ａ：本発明、Ｂ：従来例）。
【図３】従来例によるスイッチング電源装置の回路図である。
【符号の説明】
【００３５】
１  スイッチング電源回路
２  整流回路
３  平滑回路
４、２８  一次巻線
５、２５  スイッチング素子（ＮＰＮトランジスタ）
６、２６  スイッチング制御回路
７、１３、２７、３２  コンデンサ
８，１２，３１  ダイオード
９  補助巻線
１０、３０  二次巻線
１１、２９  トランス
１４  第１の抵抗
１５、３３  負荷抵抗
１６、２１、３４  フォトカプラ
１７、３５  定電圧制御回路
１８  トランジスタ（ＰＮＰトランジスタ）
１９、２０、２２、２４  抵抗
２３  ２次側スイッチ
３６  第１のスイッチング電源回路
３７  第２のスイッチング電源回路
３８  スイッチ回路（給電制御装置）
３９  補助電源
Ｐ  交流電源
【図１】
2006311650.tif 000003
【図２】
2006311650.tif 000004
【図３】
2006311650.tif 000005